(57)【要約】【課題】プリコーディング行列情報をフィードバックする方法及び移動端末を提供する。【解決手段】かかる方法は、複数のマルチ入力マルチ出力（ＭＩＭＯ）モードに対応する複数のプリコーディング行列情報を確定するステップと、前記複数のプリコーディング行列情報をフィードバックするステップと、を含む。本発明は、複数のＭＩＭＯモードに適応し、複数のプリコーディング行列情報をフィードバックすることができる。【選択図】図４
2013526190.tif 000002
【特許請求の範囲】
【請求項１】
無線通信システムにおいてプリコーディング行列情報をフィードバックする方法であって、
複数のマルチ入力マルチ出力（ＭＩＭＯ）モードに対応する複数のプリコーディング行列情報を確定するステップと、
前記複数のプリコーディング行列情報をフィードバックするステップと、を含む、方法。
【請求項２】
前記複数のプリコーディング行列情報をフィードバックするステップにおいて、
所定のフィードバック順序に従って、前記複数のプリコーディング行列情報を順次フィードバックする、請求項１に記載の方法。
【請求項３】
前記複数のプリコーディング行列情報をフィードバックするステップにおいて、
所定のフィードバック間隔に従って、前記複数のプリコーディング行列情報をフィードバックする、請求項１に記載の方法。
【請求項４】
前記複数のプリコーディング行列情報をフィードバックするステップにおいて、
所定のフィードバック周期に従って、前記複数のプリコーディング行列情報をフィードバックする、請求項１に記載の方法。
【請求項５】
前記複数のプリコーディング行列情報のフィードバック周期は、同じである、又は、異なる、請求項４に記載の方法。
【請求項６】
ＭＩＭＯモード情報、フィードバック順序、フィードバック間隔、及びフィードバック周期のうちの1つ又は複数をフィードバックパラメータとして受信するステップを更に含み、
前記複数のプリコーディング行列情報をフィードバックするステップにおいて、受信した前記フィードバックパラメータに基づいて、前記複数のプリコーディング行列情報をフィードバックする、請求項１に記載の方法。
【請求項７】
前記複数のＭＩＭＯモードは、シングルユーザＭＩＭＯモード、マルチユーザＭＩＭＯモード、及びマルチセルＭＩＭＯモードを含むグループから選択される、請求項１に記載の方法。
【請求項８】
移動端末であって、
複数のマルチ入力マルチ出力（ＭＩＭＯ）モードに対応する複数のプリコーディング行列情報を確定する確定ユニットと、
前記複数のプリコーディング行列情報をフィードバックするフィードバックユニットと、を含む、移動端末。
【請求項９】
前記フィードバックユニットは、所定のフィードバック順序に従って、前記複数のプリコーディング行列情報を順次フィードバックする、請求項８に記載の移動端末。
【請求項１０】
前記フィードバックユニットは、所定のフィードバック間隔に従って、前記複数のプリコーディング行列情報をフィードバックする、請求項８に記載の移動端末。
【請求項１１】
前記フィードバックユニットは、所定のフィードバック周期に従って、前記複数のプリコーディング行列情報をフィードバックする、請求項８に記載の移動端末。
【請求項１２】
前記複数のプリコーディング行列情報のフィードバック周期は、同じである、又は、異なる、請求項１１に記載の移動端末。
【請求項１３】
ＭＩＭＯモード情報、フィードバック順序、フィードバック間隔、及びフィードバック周期のうちの1つ又は複数をフィードバックパラメータとして受信する受信ユニットを更に含み、
前記フィードバックユニットは、受信した前記フィードバックパラメータに基づいて、前記複数のプリコーディング行列情報をフィードバックする、請求項８に記載の移動端末。
【請求項１４】
前記複数のＭＩＭＯモードは、シングルユーザＭＩＭＯモード、マルチユーザＭＩＭＯモード、及びマルチセルＭＩＭＯモードを含むグループから選択される、請求項８に記載の移動端末。
【発明の詳細な説明】
【技術分野】
【０００１】
本発明は、無線通信システムの分野に関し、特に、プリコーディング行列情報（プリコーディングマトリックス情報とも称される）をフィードバックする方法及び移動端末に関する。
【背景技術】
【０００２】
無線通信システムでは、基地局が複数の移動端末と通信を行い、基地局の送信アンテナ及び移動端末の受信アンテナが複数ある時に、マルチ入力マルチ出力（ＭＩＭＯ，Ｍｕｌｔｉｐｌｅ−Ｉｎｐｕｔ  Ｍｕｌｔｉｐｌｅ−Ｏｕｔｐｕｔ）技術を用いることができる。
【０００３】
ＭＩＭＯ技術を用いる時に、基地局は、基地局と移動端末との間のチャンネル行列情報（チャンネルマットリクス情報とも称される）を取得することができれば、最適なプリコーディングを行うことができ、即ち、
【数１】
2013526190.tif 000003
である。
【０００４】
ただし、Ｗは、プリコーディング行列（プリコーディングマトリックスとも称される）を表し、ｓは、送信前の信号を表し、Ｘは、プリコーディング後にアンテナに送信する信号を表す。移動端末が受信した、ＭＩＭＯチャンネルを経った信号は、
【数２】
2013526190.tif 000004
である。
【０００５】
ただし、Ｈは、ＭＩＭＯチャンネルを表し、ＨとＷとは理想的にマッチングし、
【数３】
2013526190.tif 000005
であれば、受信機は、復調によりｓを容易に得ることができる。
【０００６】
しかし、実際のシステムでは、基地局は、Ｈを取得しにくいので、適切なＷを推定しにくい。そのため、移動端末は、簡略化されたチャンネル情報をフィードバックする必要がある。通常、基地局及び移動端末には、基地局及び移動端末に既知のプリコーディングコードブックが予め保存されてもよい。このようなプリコーディングコードブックは、例えば、
【数４】
2013526190.tif 000006
である。
【０００７】
プリコーディングコードブックは、Ｎ個のプリコーディング行列Ｗを含み、各Ｗのコードブックにおける番号は、プリコーディング行列インデックス又はプリコーディングマトリックスインデックス（ＰＭＩ，Ｐｒｅｃｏｄｉｎｇ  Ｍａｔｒｉｘ  Ｉｎｄｅｘ）と称される。移動端末は、ＭＩＭＯチャンネルＨを測定することにより、適切なＷを推定し、それから、コードブックＣにおける該Ｗの番号を基地局にフィードバックし、基地局は、該番号を取得した後に、コードブックＣを検索することにより、所要のウェイト行列（ウェイトマトリックスとも称される）Ｗを得ることができる。移動端末がフィードバックするプリコーディング行列インデックスは、一種のプリコーディング行列情報と見なしてもよい。もちろん、プリコーディングコードブックは、複数のシングル（独立した）コード行列（コードマットリックスとも称される）により構成され又はカスケード接続されてもよく、例えば、
【数５】
2013526190.tif 000007
である。
【０００８】
ただし、Ｗ１は、独立したコードブックＣ１中のコードワードを表し、Ｗ２は、独立したコードブックＣ２中のコードワードを表し、演算子ｘは、行列（マットリックス）の乗算又は他の演算、例えば、クロネッカー積（Ｋｒｏｎｅｃｋｅｒ積）などを表し、また、独立したコードブックＣ１及びＣ２は、送信端及び受信端に既知の情報である。受信端は、Ｗ１及びＷ２などをそれぞれフィードバックすることができる。
【０００９】
実際には、ＭＩＭＯモードが複数存在し、例えば、シングルユーザＭＩＭＯ（ＳＵ−ＭＩＭＯ，Ｓｉｎｇｌｅ  Ｕｓｅｒ  ＭＩＭＯ）モード、マルチユーザＭＩＭＯ（ＭＵ−ＭＩＭＯ，Ｍｕｌｔｉｐｌｅ  Ｕｓｅｒ  ＭＩＭＯ）モード、又は、マルチセルＭＩＭＯ（ＭＣ−ＭＩＭＯ，Ｍｕｌｔｉｐｌｅ  Ｃｅｌｌ  ＭＩＭＯ）モードがある。シングルユーザＭＩＭＯモードは、送信端が受信端に複数のデータストリームを送信するモードであり、このモードは、シングルユーザのスループットを向上させることを目的とする。マルチユーザＭＩＭＯモードは、送信端が複数の受信端に複数のデータストリームを送信し、各受信端が１つ又は複数のデータストリームを受信するモードであり、このモードは、システムのスループットを向上させることを目的とする。マルチセルＭＩＭＯモードは、複数の送信端が複数の受信端に複数のデータストリームを送信するモードであり、複数の送信端は異なるセルに位置し、又は、送信機能を有する他の実体であり、複数の受信端も異なるセルのカバー範囲内に位置し、このモードは、セルの境界のスループット又はカバー範囲を向上させるために用いられる。
【００１０】
複数のＭＩＭＯモードでは、フィードバックする必要のあるプリコーディング行列情報が異なる可能性がある。よって、複数のＭＭＩＭＯモードに適応可能な、プリコーディング行列情報をフィードバックするメカニズムを提供する必要がある。
【発明の概要】
【発明が解決しようとする課題】
【００１１】
本発明は、上述の技術課題を解決することを目的とする。
【課題を解決するための手段】
【００１２】
本発明の一側面によれば、無線通信システムにおいてプリコーディング行列情報をフィードバックする方法が提供される。かかる方法は、複数のＭＩＭＯモードに対応する複数のプリコーディング行列情報を確定するステップと、前記複数のプリコーディング行列情報をフィードバックするステップと、を含む。
【００１３】
本発明の他の側面によれば、移動端末が提供される。かかる移動端末は、複数のＭＩＭＯモードに対応する複数のプリコーディング行列情報を確定するための確定ユニットと、前記複数のプリコーディング行列情報をフィードバックするためのフィードバックユニットと、を含む。
【００１４】
本発明は、複数のＭＭＩＭＯモードに適応し、複数のプリコーディング行列情報をフィードバックすることができる。
【００１５】
次の説明及び図面を参照することにより、本発明のこれら及び更なる側面及び特徴がより明確になる。上記説明及び図面には、本発明の特定の実施形態が詳細に開示されおり、本発明の原理を採用可能な実施形態が明示されている。理解すべきは、本発明は、それらの実施形態に限定されない。また、本発明は、添付した特許請求の範囲の精神及び請求項の範囲内において、あらゆる変更、改善又は同等の内容を含む。
【００１６】
１つの実施形態に説明及び／又は例示の特徴は、同じ又は類似の方式で、１つ又は複数の他の実施例形態に使用することができ、また、他の実施形態中の特徴と組み合わせる又はそれを置換することもできる。
【００１７】
強調すべきは、「包括／含む」という語が、本文で用いられるとき、特徴、要素、ステップ又は部品の存在を指すが、１つ又は複数の他の特徴、要素、ステップ又は部品の存在又は付加を排除しないことを意味する。
【００１８】
次の図面を参照することにより、本発明の複数の側面をより良く理解することができる。図面中の部品は、実際の比例に従って描かれているものではなく、本発明の原理を示すためのものだけである。本発明の一部をより便利に示す及び説明するために、図面中の対応する部品は、拡大されることがあり、即ち、本発明に従って実際に作られた例示的装置における他の部品よりも大きくなることがある。本発明の１つの図面又は１つの実施例形態に記載の要素及び特徴は、１つ又は複数の他の図面又は実施形態に示す要素及び特徴と組み合わせることができる。図面中では、類似の参照符号が複数の図面中の対応する部品を表し、また、２つ以上の実施形態に使用の対応する部品を示すために用いられてもよい。
【図面の簡単な説明】
【００１９】
添付した図面は、本発明の好適な実施例を示し、明細書の一部を構成し、また、文字による説明とともに、本発明の原理をより詳細に説明するために用いられるものである。
【図１】シングルユーザＭＩＭＯモードを示す図である。
【図２】マルチユーザＭＩＭＯモードを示す図である。
【図３】マルチセルＭＩＭＯモードを示す図である。
【図４】本発明の一実施例による、プリコーディング行列情報をフィードバックする方法のフローチャートである。
【図５】本発明の他の実施例による、プリコーディング行列情報をフィードバックする方法のフローチャートである。
【図６】本発明の一実施例による移動端末のブロック図である。
【図７】本発明の他の実施例による移動端末のブロック図である。
【発明を実施するための形態】
【００２０】
以下、添付した図面を参照しながら本発明を詳細に説明する。なお、次に記載の実施例は、本発明を理解するためのものだけであり、本発明の範囲を限定するためのものではない。
【００２１】
図１乃至図３は、複数のＭＩＭＯモードを示している。
【００２２】
図１は、ＳＵ−ＭＩＭＯモードを示す図である。ＳＵ−ＭＩＭＯモードでは、基地局は、同じ物理リソースを利用して１つのユーザに多重化信号を伝送する。基地局は、多重化信号を送信する時に、多重化信号に対してプリコーディングをそれぞれ行う。ＰＭＩは、基地局及び移動端末に既知のコードバック中のあるプリコーディング行列を表し、一種のプリコーディング行列情報と称されてもよい。図１に示すように、移動端末は、ＰＭＩ１及びＰＭＩ２をフィードバックし、ＰＭＩ１及びＰＭＩ２は、
【数６】
2013526190.tif 000008
及び
【数７】
2013526190.tif 000009
をそれぞれ示すために用いられる。
【数８】
2013526190.tif 000010
及び
【数９】
2013526190.tif 000011
は、それぞれ、データストリームｓ１及びｓ２に重みを付けるために用いられる。
【数１０】
2013526190.tif 000012
及び
【数１１】
2013526190.tif 000013
は、ベクトルであるため、プリコーディングベクトルと称されてもよい。移動端末は、送信するＰＭＩを選択する時に、例えば、容量最大化の原則を採用してもよく、伝送率（ボーレート）最小化などの原則を採用してもよい。これは、当業者により容易に実現され得るので、ここでは、その詳しい説明を省略する。基地局は、フィードバックされて来たＰＭＩに基づいて、送信するデータストリームに対してプリコーディングを行う。
【００２３】
図２は、ＭＵ−ＭＩＭＯモードを示す図である。ＭＵ−ＭＩＭＯモードでは、基地局は、複数のユーザに信号を伝送する。データストリームｓ１及びｓ２は、それぞれ、移動端末Ａ及び移動端末Ｂのために用いられる。図２に示すように、移動端末Ａは、ＰＭＩ１及びＰＭＩ２をフィードバックし、移動端末Ｂは、ＰＭＩ３及びＰＭＩ４をフィードバックする。各移動端末がフィードバックする２つのＰＭＩのうち、１つは、フィードバックを行う移動端末自身のために用いられ、もう１つは、他の移動端末のために用いられる。なお、図２には、２つの移動端末しか示してないが、より多くの移動端末を有してもよい。
【００２４】
ＭＵ−ＭＩＭＯモードは、さらに、ＭＵ−ＭＩＭＯモード１及びＭＵ−ＭＩＭＯモード２の２つのモードに分けられてもよい。ＭＵ−ＭＩＭＯモード１では、移動端末Ａが送信するＰＭＩ１は、移動端末Ａ自身が使用したいプリコーディング行列を表し、移動端末Ａが送信するＰＭＩ２は、移動端末Ｂに使用させたいプリコーディング行列（例えば、移動端末Ｂは、該プリコーディング行列を使用すれば、移動端末Ａに与える干渉が小さい。）を表す。ＭＵ−ＭＩＭＯモード２では、移動端末Ａが送信するＰＭＩ１は、移動端末Ａ自身が使用したいプリコーディング行列を表し、移動端末Ａが送信するＰＭＩ２は、移動端末Ｂに使用させたくないプリコーディング行列（例えば、移動端末Ｂは、該プリコーディング行列を使用すれば、移動端末Ａに与える干渉が大きい。）を表す。
【００２５】
図３は、ＭＣ−ＭＩＭＯモードを示す図である。ＭＣ−ＭＩＭＯモードでは、複数の基地局が、異なるセル内の複数のユーザに信号を伝送する。図３に示すように、各移動端末は、２つのＰＭＩをフィードバックし、例えば、移動端末Ａは、ＰＭＩ１及びＰＭＩ２を送信する。各移動端末がフィードバックする２つのＰＭＩのうち、１つは、フィードバックを行う移動端末自身のために用いられ、もう１つは、もう１つのセルにおける移動端末のために用いられる。
【００２６】
ＭＣ−ＭＩＭＯモードも、さらに、ＭＣ−ＭＩＭＯモード１及びＭＣ−ＭＩＭＯモード２の２つのモードに分けられてもよい。ＭＣ−ＭＩＭＯモード１では、ＰＭＩ１は、移動端末Ａが、移動端末Ａが所在するセルにおける基地局Ａ（セル基地局又はサービス基地局とも称される）に、移動端末Ａに送信する信号に重みを付ける時に使用させたいプリコーディングベクトルを表し、ＰＭＩ２は、移動端末Ａが、隣接する他のセルにおける基地局（隣接基地局とも称される）に、サービスセルと同じの物理リソースにおいて伝送信号に重みを付ける時に使用させたいプリコーディングベクトルを表す。例えば、移動端末Ａは２つのＰＭＩをセル基地局にフィードバックした後に、セル基地局は、該ユーザ（移動端末Ａ）が、隣接するセルにおけるユーザに使用させたいＰＭＩ２を隣接基地局に送信する。隣接基地局は、そのセル内でＰＭＩ２を使用したいユーザを見つけることにより、このユーザ（移動端末Ｂと仮定される）と移動端末Ａとをマッチングすることができる。ＭＣ−ＭＩＭＯモード２では、ＰＭＩ１は、移動端末Ａが、移動端末Ａが所在するセルにおける基地局Ａ（セル基地局又はサービス基地局とも称される）に、移動端末Ａに送信する信号に重みを付ける時に使用させたいプリコーディングベクトルを表し、ＰＭＩ２は、移動端末Ａが、隣接する他のセルにおける基地局（隣接基地局とも称される）に、サービスセルと同じの物理リソースにおいて伝送信号に重みを付ける時に使用させたくないプリコーディングベクトルを表す。
【００２７】
なお、図３には、２つのセルしか示していないが、３つ以上のセルを有してもよい。
【００２８】
以上、図１乃至図３を参照しながらいくつかのＭＩＭＯモードを説明したが、本発明の実施例は、上述のいくつかのＭＩＭＯモードに限定されない。例えば、上述のように、コードワードは、２つ又は３つ以上の独立したコードワードによりカスケード接続され得るので、移動端末は、２つ又は３つ以上のＰＭＩをフィードバックする必要がある。しかし、この場合のＰＭＩの役割は、上述のいくつかのＭＩＭＯモードにおけるＰＭＩの役割と異なるので、この場合のＭＩＭＯモードは、一種の新しいＭＩＭＯモード、即ち、本明細書に述べる各種のＭＩＭＯモードのうちの一種と見なされてもよい。
【００２９】
また、上述のＭＩＭＯモードの他の細部については、例えば、出願番号が２００９１０１４１６５１．１であり、出願日が２００９年５月２５日であり、発明の名称が“ＭＩＭＯシステムに用いるプリコーディングのフィードバック方法及び装置”である中国特許出願の明細書を参照することができる。
【００３０】
図４は、本発明の一実施例による、無線通信システムにおいてプリコーディング行列情報をフィードバックする方法のフローチャートである。
【００３１】
ステップＳ４０２では、複数のＭＩＭＯモードに対応する複数のプリコーディング行列情報を確定する。ステップＳ４０４では、複数のプリコーディング行列情報をフィードバックする。
【００３２】
上述のように、無線通信システムでは、複数のＭＩＭＯモードが存在することができる。異なるＭＩＭＯモードの各々について、それに対応する、フィードバックする必要のあるプリコーディング行列情報を確定することができる。ステップＳ４０２では、例えば、ＳＵ−ＭＩＭＯモードについて、移動端末自身が使用したいプリコーディング行列を確定し、ＭＵ−ＭＩＭＯモード１について、移動端末自身が使用したいプリコーディング行列、及び、同じセルにおける他の移動端末に使用させたいプリコーディング行列を確定し、ＭＵ−ＭＩＭＯモード２について、移動端末自身が使用したいプリコーディング行列、及び、同じセルにおける他の移動端末に使用させたくないプリコーディング行列を確定し、ＭＣ−ＭＩＭＯモード１について、移動端末自身が使用したいプリコーディング行列、及び、隣接するセルにおける他の移動端末に使用させたいプリコーディング行列を確定し、ＭＣ−ＭＩＭＯモード２について、移動端末自身が使用したいプリコーディング行列、及び、隣接するセルにおける他の移動端末に使用させたくないプリコーディング行列を確定することができる。プリコーディング行列を確定した後に、プリコーディング行列を表すためのプリコーディング行列情報を確定することができる。なお、各種のＭＩＭＯモードでプリコーディング行列を確定するための他の細部については、当業者により容易に実現され得るので、ここでは、その詳しい説明を省略する。
【００３３】
ステップＳ４０４では、ステップ４０２で確定した複数のプリコーディング行列情報をフィードバックする。
【００３４】
一例では、所定のフィードバック順序に従って、上述の複数のプリコーディング行列情報を順次フィードバックしてもよい。言い換えると、各種のプリコーディング行列情報のフィードバック順序は、予め設定されているものである。例えば、まず、ＳＵ−ＭＩＭＯモードに対応するプリコーディング行列情報をフィードバックし、それから、ＭＵ−ＭＭＩＭＯモード１に対応プリコーディング行列情報、ＭＵ−ＭＭＩＭＯモード２に対応プリコーディング行列情報、ＭＣ−ＭＩＭＯモード１に対応プリコーディング行列情報、及びＭＣ−ＭＩＭＯモード２に対応プリコーディング行列情報をこの順にフィードバックしてもよい。
【００３５】
他の例では、所定のフィードバック間隔に従って、上述の複数のプリコーディング行列情報をフィードバックしてもよい。言い換えると、各種のプリコーディング行列情報間の所定のフィードバック間隔は、予め設定されているものである。例えば、ＳＵ−ＭＩＭＯモードに対応するプリコーディング行列情報と、ＭＵ−ＭＩＭＯモード１に対応するプリコーディング行列情報との間のフィードバック間隔は、１つのサブフレームと予め設定されてもよい。
【００３６】
他の例では、所定のフィードバック周期に従って、上述の複数のプリコーディング行列情報をフィードバックしてもよい。例えば、ＳＵ−ＭＩＭＯモードに対応するプリコーディング行列情報のフィードバック周期は、１０個のサブフレーム、即ち、１０個のサブフレーム毎に一回フィードバックすると予め設定されてもよい。複数のプリコーディング行列情報のフィードバック周期は、同じであってもよく、異なってもよい。
【００３７】
他の例では、各種のプリコーディング行列情報のフィードバック順序、フィードバック間隔、及びフィードバック周期のうちの２つ又は３つは、予め設定されてもよい。
【００３８】
もちろん、必ず全てのＭＩＭＯモードについてフィードバックを行う必要があるとは限らない。例えば、一例では、ステップＳ４０２は、ＳＵ−ＭＩＭＯモード及びＭＵ−ＭＩＭＯモード１に対応するプリコーディング行列情報のみを確定してもよい。それに応じて、ステップＳ４０４は、ＳＵ−ＭＩＭＯモード及びＭＵ−ＭＩＭＯモード１に対応するプリコーディング行列情報のみをフィードバックしてもよい。
【００３９】
本実施例は、複数のＭＩＭＯモードに適応し、複数のプリコーディング行列情報をフィードバックすることができる。
【００４０】
図５は、本発明の他の実施例による、無線通信システムにおいてプリコーディング行列情報をフィードバックする方法のフローチャートである。
【００４１】
ステップＳ５０２では、ＭＩＭＯモード情報、フィードバック順序、フィードバック間隔、及びフィードバック周期のうちの１つ又は複数を受信してフィードバックパラメータとする。ステップＳ５０４では、複数のＭＩＭＯモードに対応する複数のプリコーディング行列情報を確定する。ステップＳ５０６では、フィードバックパラメータに基づいて、複数のプリコーディング行列情報をフィードバックする。
【００４２】
上述のＭＩＭＯモード情報とは、基地局は、移動端末に、基地局へフィードバックを行わせたいＭＩＭＯモードの種類を指す。例えば、基地局は、移動端末に、ＳＵ−ＭＩＭＯモード及びＭＵ−ＭＩＭＯモード１のみについてフィードバックを行わせたい場合、基地局は、移動端末に、ＳＵ−ＭＩＭＯモード及びＭＵ−ＭＩＭＯモード１を示すＭＩＭＯモード情報を送信してもよい。本実施例では、ＭＩＭＯモード情報、フィードバック順序、フィードバック間隔、及びフィードバック周期のうちの１つ又は複数は、動的変化可能なものである。ステップＳ５０２では、移動端末は、基地局から、ＭＩＭＯモード情報、フィードバック順序、フィードバック間隔、及びフィードバック周期のうちの１つ又は複数を受信してフィードバックパラメータとしてもよい。基地局は、ブロードキャストの方式で、フィードバックパラメータを送信してもよく、例えば、インスタントメッセージシグナリング（Instant  Message  Signaling）の方式で、フィードバックパラメータを送信しりもよい。ステップＳ５０４では、ＭＩＭＯモード情報を受信したとすれば、例えば、フィードバックする必要のあるＭＩＭＯモードの増減を指定したとすれば、それに応じて、確定する必要のあるプリコーディング行列情報の種類の増減を行ってもよい。ステップＳ５０４の他の細部については、図４中のステップＳ４０２と同様であるので、ここでは、その詳しい説明を省略する。ステップＳ５０６では、フィードバックパラメータに基づいて、複数のプリコーディング行列情報をフィードバックする。例えば、ＳＵ−ＭＩＭＯモードのプリコーディング行列情報のフィードバック周期が１０個のサブフレームであるということを表すフィードバックパラメータを受信したとすれば、このフィードバックパラメータに従ってフィードバックを行う。ステップＳ５０６の他の細部については、図４中のステップＳ４０４と同様であるので、ここでは、その詳しい説明を省略する。
【００４３】
一例では、チャンネルの特性、システムの要求、又はシステムの使用可能なリソースに基づいて、フィードバックパラメータを設定してもよい。例えば、フィードバックのチャンネルのリソースが限られている場合は、ＳＵ−ＭＩＭＯモードのプリコーディング行列情報のフィードバック周期を短く設定し、ＭＵ−ＭＩＭＯモード及び／又はＭＣ−ＭＩＭＯモードのプリコーディング行列情報のフィードバック周期を長く設定してもよい。
【００４４】
図４及び図５に示す実施例では、フィードバックパラメータが予め設定されているものであれば、基地局によりこれらのパラメータを送信する必要がない。これにより、システムのリソースを節約することができる。また、フィードバックパラメータが予め設定されているものでなければ、フィードバックパラメータは、動的変化可能なものであり、柔軟性を有する。
【００４５】
図６は、本発明の一実施例による移動端末６００のブロック図である。移動端末６００は、複数のＭＩＭＯモードに対応する複数のプリコーディング行列情報を確定するための確定ユニット６０２と、複数のプリコーディング行列情報をフィードバックするためのフィードバックユニット６０４と、を含む。オプションでフィードバックユニット６０４は、所定のフィードバック順序に従って上述の複数のプリコーディング行列情報をフィードバックする。オプションでフィードバックユニット６０４は、所定のフィードバック間隔に従って上述の複数のプリコーディング行列情報をフィードバックする。オプションでフィードバックユニット６０４は、所定のフィードバック周期に従って上述の複数のプリコーディング行列情報をフィードバックする。オプションで複数のプリコーディング行列情報のフィードバック周期は、同じであってもよく、異なってもよい。オプションで複数のＭＩＭＯモードは、シングルユーザＭＩＭＯモード、マルチユーザＭＩＭＯモード、及びマルチセルＭＩＭＯモードを含むグループから選択される。上述の本発明の実施例による、プリコーディング行列情報をフィードバックする方法の処理プロセスを参照することにより、図６に示す移動端末の各部品の機能が如何に実現されるかは、明確になるため、明細書の記載を簡潔にするために、ここでは、上述の各部品の機能が如何に実現されるかについての詳細な説明を省略する。
【００４６】
図７は、本発明の他の実施例による移動端末７００のブロック図である。移動端末７００は、ＭＩＭＯモード情報、フィードバック順序、フィードバック間隔、及びフィードバック周期のうちの１つ又は複数を受信してフィードバックパラメータとするための受信ユニット７０２と、複数のＭＩＭＯモードに対応する複数のプリコーディング行列情報を確定するための確定ユニット７０４と、複数のプリコーディング行列情報をフィードバックするためのフィードバックユニット７０６と、を含む。上述の本発明の実施例による、プリコーディング行列情報をフィードバックする方法の処理プロセスを参照することにより、図７に示す移動端末の各部品の機能が如何に実現されるかは、明確になるため、明細書の記載を簡潔にするために、ここでは、上述の各部品の機能が如何に実現されるかについての詳細な説明を省略する。
【００４７】
本発明の実施例では、各種のＭＩＭＯモードについて、移動端末が２つ又は３つ以上のＰＭＩをフィードバックするので、統一のＰＭＩフィードバックフォーマットを設計することができる。これにより、移動端末は、異なるＭＩＭＯモードに応じて異なるフィードバックフォーマットを採用する必要がない。
【００４８】
例えば、次の表１に示すようなフィードバックフォーマットを採用してもよい。
【表１】
2013526190.tif 000014
【００４９】
表１では、ｘは、予め設定されている任意の数である。一例では、異なるＭＩＭＯモードについて、ｘは、異なってもよい。このようにすると、上述のような統一のフィードバックフォーマットを使用することにより、移動端末は、同じフィードバックフォーマットを用いて各種のプリコーディング情報を基地局にフィードバックすることができる。これにより、フィードバックのシグナリングリソースを簡素化（節約）する目的を達成することができる。また、フィードバックフォーマットの他の細部については、例えば、出願番号が２００９１０１４１６５１．１であり、出願日が２００９年５月２５日であり、発明の名称が“ＭＩＭＯシステムに用いるプリコーディングのフィードバック方法及び装置”である中国特許出願の明細書を参照することができる。
【００５０】
上述により移動端末の処理及び構造を説明したが、基地局の処理及び構造は、移動端末に対応する。例えば、一実施例では、基地局は、移動端末からフィードバックされて来た、複数のＭＩＭＯモードに対応する複数のプリコーディング行列情報を受信するための受信ユニットを含んでもよい。他の実施例では、基地局は、移動端末に、ＭＩＭＯモード情報、フィードバック順序、フィードバック間隔、及びフィードバック周期のうちの1つ又は複数をフィードバックパラメータとして送信するための送信ユニットと、移動端末から、上述のフィードバックパラメータに基づいてフィードバックされて来た複数のプリコーディング行列情報を受信するための受信ユニットと、を含んでもよい。基地局の処理及び構造の他の細部については、当業者が上述の説明を読んで上で実現し得るので、ここでは、その詳しい説明を省略する。
【００５１】
また、当業者にとっては、本発明の方法及び設備の全て又は任意のステップ又は部品が、任意の計算設備（処理器、記憶媒体等を含む）又は計算設備のネットワークで、ハードウェア、ファームウェア、ソフトウェア、又はそれらの組み合わせにより実現され得ることが容易に理解し得ることであり、また、当業者が本発明の説明を読んだ上で彼らの基本的なプログラミングスキルを活用することにより実現され得ることでもあるので、ここでは、その詳細な説明を省略する。
【００５２】
よって、上述の理解により、本発明の目的は、任意の情報処理設備で１つ又は複数のプログラムを実行することにより実現されてもよい。上述の情報処理設備は、公知の汎用設備であってもよい。また、本発明の目的は、上述の方法又は設備を実現し得るプログラムコードを含むプログラムプロダクトを提供することのみにより実現されてもよい。言い換えると、このようなプログラムプロダクトは、本発明を構成し、また、このようなプログラムコードを記憶している記憶媒体も、本発明を構成する。明らかであるように、上述の記憶媒体は、公知の任意の記憶媒体又は将来の任意の記憶媒体であってもよいので、ここでは、各種の記憶媒体を網羅的に列挙する必要がない。
【００５３】
本発明の設備及び方法では、明らかであるように、各部品又は各ステップは、分解、組み立て、及び／又は分解後再組み立て可能なものである。これらの分解、組み合わせ、及び／又は分解後の再組み合わせによるものは、本発明の等価代替物と見なすべきである。
【００５４】
以上、本発明の好適な実施例について説明したが、理解すべきは、上述の全ての実施例及び具体例は、例示的なものであり、本発明を限定するものではない。当業者は、特許請求の範囲の精神及び範囲内において、本発明について各種の変化、改正及び代替によるものを設計することができるが、これらの変化、改正及び代替によるものは、本発明の保護範囲内に含まれるべきである。
【図１】
2013526190.tif 000015
【図２】
2013526190.tif 000016
【図３】
2013526190.tif 000017
【図４】
2013526190.tif 000018
【図５】
2013526190.tif 000019
【図６】
2013526190.tif 000020
【図７】
2013526190.tif 000021
【国際調査報告】
2013526190.tif 000022
2013526190.tif 000023
2013526190.tif 000024
2013526190.tif 000025